(57)【要約】【課題】例えば、立食パーティー等において、食器皿とコップを同時に保持することができるようにしたコップホルダーであって、簡単且つ安価に製造し、簡易に使用することができるコップホルダーを提供する。【解決手段】食器皿１２の外周縁部の一部を挟持する把持部２を有し、該把持部２と一体的にコップ１３を挿入保持するリング形状の上方保持部３と、該上方保持部３の下方に離間した状態で複数の紐部材５、５…によって下方受け部６が垂設され、前記上方保持部３のリング形状はコップ１３の途中の外周を保持する内径を有し、前記下方受け部６はコップ１３の下部外周を保持するリング形状７又はコップ１３の底部を支持する受け皿形状８に形成されている。【選択図】図１
0003103886.tif 000002
【実用新案登録請求の範囲】
【請求項１】
食器皿の外周縁部の一部を挟持する把持部を有し、該把持部と一体的にコップを挿入保持するリング形状の上方保持部と、該上方保持部の下方に離間した状態で複数の紐部材によって下方受け部が垂設され、前記上方保持部のリング形状はコップの途中の外周を保持する内径を有し、前記下方受け部はコップの下部外周を保持するリング形状又はコップの底部を支持する受け皿形状に形成されていることを特徴とするコップホルダー。
【請求項２】
前記紐部材は、弾性を有するゴム部材によって形成されていることを特徴とする請求項１記載のコップホルダー。
【考案の詳細な説明】
【技術分野】
【０００１】
本考案は、例えば、立食パーティー等において、食器皿とコップを同時に保持することができるようにしたコップホルダーに関する。
【背景技術】
【０００２】
従来より、ホテルやレストラン等で行われる立食パーティにおいては、一方の手に食物が盛られた食器皿を持ち、他方の手にジュース、ビール、酒等の入ったコップを持つというように、両手がふさがった状態で会場内を移動することがよくあり、不便さを感じるものであった。
【０００３】
また、自分の使用した食器やコップをいったんテーブルの上に置くと、他人のものと区別がつかなくなり、間違えて使用した場合は、衛生的に好まいものではなく、また相手に失礼になるという問題があった。
【０００４】
このような問題を解消するために成されたものとして、特許文献１は、「立食用トレイホルダー」と称せられる考案である。その構成は、図５(a)及び(b)に示すように、料理皿Ｄを載置する皿受け２２とコップ受け２３とが１枚の基材によって連続的に形成され、コップ受け２３には皿受け２２側へ一定角度傾斜する鍔部２３ｃが設けられると共に、該鍔部２３ｃの皿受け２２側下面に料理皿Ｄの端縁を着脱自在に挟持する皿止め部材２４が設けられた構成とされている。
【０００５】
このような構成は、具体的には、二本の棒状基材２１、２１をトレーのように使用し、この基材２１、２１の上に料理皿ＤとコップＣとを載置するようにしてあり、コップＣを鍔部２３ｃによって保持すると共に、料理皿Ｄの端縁を皿止め部材２４によって挟持することによって、コップＣと料理皿Ｄの移動及び落下を防止するようにしている。
【０００６】
ところが、このような立食用トレイホルダーにおいては、コップＣを保持する鍔部２３と、料理皿Ｄの端縁を挟持する皿止め部材２４とを有するが、所詮、二本の棒状基材２１、２１をトレーのように使用するものであり、全体としては、大型であり、簡易的な使用にはふさわしくないものであった。
【特許文献１】実開平６−４８４７７号公報
【考案の開示】
【考案が解決しようとする課題】
【０００７】
本考案は、上記のような事情に鑑みてなされたもので、例えば、立食パーティー等において、食器皿とコップを同時に保持することができるようにしたコップホルダーであって、簡単且つ安価に製造し、簡易に使用することができるコップホルダーを提供することを目的とする。
【課題を解決するための手段】
【０００８】
上記の目的を達成するために、本考案の請求項１のコップホルダーは、食器皿の外周縁部の一部を挟持する把持部を有し、該把持部と一体的にコップを挿入保持するリング形状の上方保持部と、該上方保持部の下方に離間した状態で複数の紐部材によって下方受け部が垂設され、前記上方保持部のリング形状はコップの途中の外周を保持する内径を有し、前記下方受け部はコップの下部外周を保持するリング形状又はコップの底部を支持する受け皿形状に形成されていることを特徴とする。
【０００９】
また、本考案の請求項２のコップホルダーは、請求項１において、前記紐部材は、弾性を有するゴム部材によって形成されていることを特徴とする。
【考案の効果】
【００１０】
本考案によるコップホルダーは、把持部によって食器皿を保持した状態で、把持部と一体的に形成された上方保持部と下方受け部にコップを挿入保持するようにしてあるため、全体として非常にコンパクトであり、製造コストも安価である。
【００１１】
また、大小さまざまな食器皿及びコップについて使用することが可能であり、形状も単純であって、場所も取らないため、きわめて便利であり、ホテル、レストラン等の立食パーティ用のコップホルダーとして実用性の高いものである。
【００１２】
また、下方受け部をリング形状にすると、テーパ形状のコップの下部外周を適当箇所で嵌合して保持することができ、コップががたつかない状態で保持することができる。また、下方受け部を受け皿形状にすると、コップの形状に関わらずの底部を支持することが可能となる。
【考案を実施するための最良の形態】
【００１３】
以下、本考案の実施例について図面を参照しながら説明する。
【実施例１】
【００１４】
本考案によるコップホルダー１は、図１〜図４に示すように、食器皿１２の外周縁部の一部を挟持する把持部２を有し、該把持部２と一体的にコップ１３を挿入保持するリング状の上方保持部３と、該上方保持部３の下方に離間して複数の紐部材５、５…によって下方受け部６が垂設されてなるものである。
【００１５】
なお、本実施例の図面において、図１及び図２は、下方受け部６をリング形状７にしたものであり、図３及び図4は、下方受け部６を受け皿形状８にしたものである。
【００１６】
このような構成のコップホルダー１についてより詳細に述べると、把持部２は、食器皿１２の外周縁部の一部を挟持するように、２枚の挟持片２ａ、２ａを枢支軸２ｂで回動自在に連結した構成とされ、例えば、不図示のコイルバネ、板バネ等を用いて弾性的に開閉自在とし、閉じたときに食器皿１２の外周縁部の一部を挟持するようにしている。
【００１７】
このような構成において、それぞれの挟持片２ａ、２ａの端辺を内側へ凹んだ湾曲形状とすることにより、円形をなす食器皿１２の外周縁部の一部を挟持する場合にも、挟持片２ａ、２ａの端部が食器皿１２の内方の食べ物に触れることが少なく、衛生的である。
【００１８】
なお、挟持片２ａ、２ａの端部には、食器皿１２を安定的に挟持するために、滑り止め防止のためのゴム部材９を付設することが望ましい。
【００１９】
また、本実施例においては、上記の把持部２の下側挟持片２ａの後端から延長してリング状の上方保持部３が一体的に形成されている。この上方保持部３のリング形状はコップ１３の途中の外周を保持する内径を有するものである。このような構成により、上方保持部３のリング形状又は下方受け部６のリング形状７のいずれかによってコップ１３の外周が嵌合された状態となり、この挿入保持状態においてコップ１３のがたつきがなく、コップ１３内部の飲み物がこぼれ難いものとなる。
【００２０】
さらに、上方保持部３の下方に離間して複数の紐部材５、５…によって下方受け部６が垂設されている。図１又は図２においては、上方保持部３の四方に形成された孔部３ａ、３ａ…のそれぞれに紐部材５が結合され、それぞれの紐部材５を均等の長さで垂下して、それぞれの下端を下方受け部６の外周に形成した孔部６ａ、６ａ…に結合した構成としている。上記の構成において、紐部材５を弾性のゴム部材によって形成してもよい。こうすることにより、コップ１３の外径に応じて、上方保持部３と下方受け部６との幅を変化させることができ、コップ１３を確実に保持することが可能となる。
【００２１】
また、上記の下方受け部６はコップ１３の下部外周を保持するリング形状又はコップ１３の底部を支持する受け皿形状に形成されている。即ち、図１及び図２に示すように、下方受け部６をリング形状７にすると、テーパ形状のコップ１３の下部外周を適当箇所で嵌合して保持することができる。また、図３及び図4に示すように、下方受け部６を受け皿形状８にすると、コップ１３の形状に関わらずコップ１３の底部を支持することが可能となる。なお、上記の受け皿形状８は円板形状にするのが好ましい。
【００２２】
なお、上記のような構成を有する本考案は、材質に限定されるものではなく、例えば合成樹脂や金属等で簡単に形成することができる。
【産業上の利用可能性】
【００２３】
本考案のコップホルダーは、大小さまざまな食器皿及びコップについて使用することが可能であり、形状も単純で場所も取らないため、きわめて便利であり、ホテル、レストラン等の立食パーティ用のコップホルダーとして利用することが可能である。
【図面の簡単な説明】
【００２４】
【図１】本考案のコップホルダーの全体斜視図であり、下方受け部をリング形状にしたものである。
【図２】図１のコップホルダーによって食器皿を挟持すると共に、コップを保持した状態を示す側面図である。
【図３】本考案のコップホルダーの全体斜視図であり、下方受け部を受け皿形状にしたものである。
【図４】図３のコップホルダーによって食器皿を挟持すると共に、コップを保持した状態を示す側面図である。
【図５】(a)及び(ｂ）は、従来技術に係る特許文献１の立食用トレイホルダーの側面図及び平面図である。
【符号の説明】
【００２５】
１…コップホルダー
２…把持部
２ａ…挟持片
２ｂ…枢支軸
３…上方保持部
３ａ…孔部
５…紐部材
６…下方受け部
６ａ…孔部
７…リング形状
８…受け皿形状
１２…食器皿
１３…コップ
【図１】
0003103886.tif 000003
【図２】
0003103886.tif 000004
【図３】
0003103886.tif 000005
【図４】
0003103886.tif 000006
【図５】
0003103886.tif 000007